(57)【要約】【課題】ヘドロの脱水作業を行っている間も、ヘドロを堆積している土地を有効活用する手段を提供するものである。【解決手段】ヘドロの貯留空間を小さなブロックを複数上下左右に連結して形成し、選ばれたブロックの配列を構成するブロク中に通水材を充填し、あるいは濾材を挿入しあるいは貯留空間の周囲を透水性シートで覆うことにより、ヘドロ中に含まれる水分をヘドロ貯留空間の外に排出する。そのさい、ヘドロ貯留空間の上部は適宜土盛りし公園あるいは駐車場などとして利用する。【選択図】図１
2004313861.tif 000002
【特許請求の範囲】
【請求項１】
下記工程を繰り返えすことを特徴とするヘドロの脱水方法。
１．表面に開口部を有し、開口部から流入した水を排出可能としたブロックを配設する。
２．その配設したブロックを透水性のシートで覆い、当該透水シート上をヘドロ受け場所とする。
３．上記シート上にヘドロを供給し、透水シートを経てヘドロ中の水分を配設したブロックを経由して排出させ、ヘドロの体積を減ずる。
４．さらにヘドロを供給することを繰り返し、体積を減じたヘドロの高さがブロックと見あう高さとする。
【請求項２】
下記を構成要件とすることを特徴とするヘドロの脱水方法。
１．表面に開口部を有する外枠と筒状の内枠からなるブロックを連接する。
２．当該ブロックを上下あるいは左右に連接するとき前記内枠は上下あるいは左右に連通可能とされる。
３．各ブロックの外枠と内枠との間にヘドロを充填し、前記連通した内枠よりヘドロ中に含まれる水分を排出する。
【請求項３】
下記を構成要件とすることを特徴とするヘドロの脱水方法。
１．表面に開口部をする筒状、容器状もしくは箱状のブロックを連接する。
２．上下もしくは左右に連接した１以上のブロック配列を構成する各ブロック内に通水材を充填し通水用配列とする。
３．通水用配列以外のブロックにヘドロを充填しヘドロ中の水分を通水用配列より排出する。
【請求項４】
下記を構成要件とすることを特徴とするヘドロの脱水方法。
１．上下左右に連設可能で、連接することによりその内部を流体が移動可能な貯留空間表面構成可能であるブロックにてヘドロの貯留区間を構成する。
２．上記空間の周囲を透水性シートで覆う。
３．透水性シートの外側部に通水材を配置する。
４．ヘドロの貯留空間にヘドロを充填し透水性シート、通水材を経てヘドロ中の水分を排出する。
【請求項５】
下記を構成要件とすることを特徴とするヘドロの脱水方法。
１．下方に通水する手段を設けた架台を設ける。
２．請求項１ないし請求項４記載の脱水方法を構成する手段を前記架台上に設ける。
【請求項６】
上記請求項１ないし請求項５記載の方法で用いたブロックを芯材とするヘデロを利用した盛土。
【発明の詳細な説明】
【０００１】
【発明の属する技術分野】
本発明は、河川、湖沼等の底に堆積したヘドロあるいは下水道処理場より排出される活性汚泥等の水分を減じる技術に属する。
【０００２】
【従来の技術】
河川や湖沼の表底層に堆積しているヘドロ等の高含水堆積物は、浚渫工事などにおいて掘削した場合、廃棄処分が困難であるとともに、放置しておくと近隣の環境に影響を与える場合もある。またダムなどに堆積したヘドロは、ダムの有効容量を減少させその寿命を縮める。
従来より、かかる高含水堆積物を処理する方法が種々提案されている。
【０００３】
その方法は、ヘドロ等の高含水堆積物を透水性のある袋体に入れ、これを積み上げて脱水処理を行うものである。他の方法は、ヘドロ等の高含水堆積物を各種プレス機あるいは遠心分離機を用いて、機械的に脱水する方法である。
石灰やセメント等の固化剤を用いて、泥状物を直接固化して廃棄する方法もある。
【０００４】
本発明者が特願平２０００−２５８６９０で、表面に開口を有する容器状部材を積み上げヘドロを充填しヘドロを脱水するとともに、容器状部材を盛土の芯として使用する方法を提案した。ヘドロの脱水を屋外で実施する方法は、何れも長期間を要し、脱水作業の継続中はその土地の有効活用はできない。
【０００５】
【発明が解決しようとする課題】
本発明は、ヘドロの脱水作業を行っている間も、ヘドロを堆積している土地を有効活用する手段を提供するものである。
【０００６】
【課題を解決するための手段】
本第１の発明は、下記工程を繰り返えすヘドロの脱水方法である。
１．表面に開口部を有し、開口部から流入した水を排出可能としたブロックを配設する。
２．その配設したブロックを透水性のシートで覆い、当該シート上をヘドロ受け場所とする。
３．上記シート上にヘドロを供給し、透水シートを経てヘドロ中の水分を配設したブロックを経由して排出させ、ヘドロの体積を減ずる。
４．さらにヘドロを供給することを繰り返し、体積を減じたヘドロの高さがブロックと見あう高さとする。
本第２の発明は、下記を構成要件とするヘドロの脱水方法である。
１．表面に開口部を有する外枠と筒状の内枠からなるブロックを連接する。
２．当該ブロックを上下に連接するとき前記内枠は上下に連通可能とされる。
３．各ブロックの外枠と内枠との間にヘドロを充填し、前記連通した内枠よりヘドロ中に含まれる水分を排出する。
本第３の発明は、下記を構成要件とするヘドロの脱水方法である。
１．表面に開口部をする筒状、容器状もしくは箱状のブロックを連接する。
２．上下もしくは左右に連接した１以上のブロック配列を構成する各ブロック内に通水材を充填し通水用配列とする。
３．通水用配列以外のブロックにヘドロを充填しヘドロ中の水分を通水用配列より排出する。
本第４の発明は、下記を構成要件とするヘドロの脱水方法である。
１．上下左右に連設可能で、連接することによりその内部を流体が移動可能な貯留空間表面構成可能であるブロックにてヘドロの貯留区間を構成する。
２．上記空間の周囲を透水性シートで覆う。
３．透水性シートの外側部に通水材を配置する。
４．ヘドロの貯留空間にヘドロを充填し透水性シート、通水材を経てヘドロ中の水分を排出する。
本第５の発明は、下記を要件とするヘドロの脱水方法である。
下記を構成要件とするヘドロの脱水方法。
１．下方に通水する手段を設けた架台を設ける。
２．上記１ないし４記載の脱水方法を構成する手段を前記架台上に設ける。
第６の発明は、上記１ないし６記載の方法で用いたブロックを芯材とするヘドロを利用した盛土である。
【０００７】
【発明の実施の形態】
以下本発明を図を用いて、より詳細に説明する。
図１は、本第１の発明のヘドロの脱水方法を示す概念図である。
【０００８】
図１ａに示すように表面に開口部を設けられた円筒部材であるブロックを配列しその上を透水性のシートで覆う。シート上に湖沼、河川、あるいは活性汚泥等の高含水物であるヘドロを円筒部材の高さに見合った量を供給する。ヘドロ中の水分は透水性シートを通して下方の円筒性部材から排出される。ヘドロの量が減じた時点でさらにヘドロを供給する。以上の過程を繰り返し最初に配列した円筒部材の高さに見合った量のヘドロが溜まり、ヘドロを供給することができなくなった時点で、図１ｂに示すように円筒部材の上に新たに円筒部材を重ねて配列する。なお、２段目の円筒部材は下方の円筒部材と直交するように配列するのが好ましい。２段目に対しても１段目と同じ作業を繰り返す。
必要に応じて上層段のブロックを積む前にブロック上に露出する透水性シートを裂き下層段のブロックを取り出し、取り出したブロックに見合うヘドロを供給し、取り出したブロックを、脱水されたヘドロ上に配設再利用することもヘデロの物性により可能となる。
上記作業を所定の高さになるまで繰り返すことによって、円筒部材を井桁に組み合わせた芯と、ヘドロを脱水することによって得られた土からなる盛土が形成される。必要に応じて外部から運んだ土砂で上記盛度を覆うことも可能である。
【０００９】
芯となる円筒部材の一例を図７ａに示すが、形状は円筒に限らず図７ｂに示す台形であってもよい。  あるいは、箱状、枠状あるいは容器状のものを並べてもよい。  水を連通して外に排出できる形状と盛土の芯となる強度があれば上記形状に限定されるものではない。  材質は土中で安定で、かつ強度が保たれるコンクリート、樹脂製品が好ましい。  浸透トレンチ管として市販されているものも使用できる。
使用する部材の強度、土盛りの厚さなど適宜選定することで盛土の上部は公園、駐車場などとして使用可能となる。
【００１０】
図２は本第２の発明のヘドロの脱水方法を示す概念図である。
表面に開口部を有する外枠と筒状の内枠からなるブロックを上下左右に連接しヘドロの貯留空間を形成する。このとき、内枠は互に上下に連通するように通水配列とし、外枠の中心に設けられているのが好ましい。通水配列は１以上の複数列とすることができる。外枠に設けられた開口部はヘドロが貯留空間内に自由に移動可能な大きさの形状とする。一方内枠に設けられた開口部は細孔とする。あるいは外枠と同様の大きさとし、連通部を繋ぐ網目状の筒を内枠内に挿入してもよい。  網目状の筒はその外表面に繊維を植え付けたものでもよい。
尚、内枠に設けた開口部を細孔とする場合、内枠内に圧縮空気を導入するパイプを挿入しておくことができる。目詰まりが生じた場合、圧縮空気により内枠外側についたヘドロを剥離し、目詰まりを解消することができる。
【００１１】
ヘドロの貯留空間に供給されたヘドロは外枠に設けられた開口部を通して貯留部全体に行き渡り、ヘドロ中の水分は内枠あるいは内枠内に充填された網目を通して内枠内を通って下方に流れ出る。
貯留部の底部には排水管あるいは砕石などによる通水部を設けヘドロからの水を排出させる。
【００１２】
外枠と内枠からなるブロックは例えば、図７ｅに示したものが使用できるが、
その形状は矩形に限らず円筒であっても、多角形の筒状であってもよい。
あるいは図７ｃ、ｄに示すような容器状部材の中心に円筒状あるいは戴円錐筒状の突部を有するもの、あるいは板上に円筒状あるいは戴円錐筒状で、この突部が上下に配設した時に連通するものであってもよい。
【００１３】
図３、図４は本第３の発明のヘドロの脱水方法の概念図である。
図３は通水配列を縦に設けた例であり、図４は横に設けた例である。
表面に開口部を有し、相互に上下左右に連接可能とされたブロックを連接し、
ヘドロの貯留空間を形成する。上下もしくは左右に連接された１以上のブロック配列を構成するブロック内に通水材を充填し、水を通す通水用配列とする。
ヘドロの貯留空間内にヘドロを供給し、ヘドロ中に含まれる水分は通水用配列を経由して排出される。
【００１４】
通水用配列を構成するブロックは、例えば図７ａ、ｃ、ｄに示されるブロックが使用できる。図７ａに示すブロックは円筒型に限らず角柱であってもよい。また図７ｃ、ｄに示すブロックでは体円錐あるいは円筒部を互に付き合わせた形状として使用し、その円筒部あるいは戴円錐部に通水材を充填して使用する。
【００１５】
通水材は砂利、砕石、貝殻、砂等が単独あるいは適宜混合して使用できる。
【００１６】
図５は、本第４の発明であるヘドロの脱水方法の概念図である。
ブロックを連接してヘドロの貯留空間を形成する。ブロックはヘドロがその貯留空間内を移動可能となる形状のものを使用する。ヘドロの貯留空間の周囲を透水性のシートで覆い、その外側に通水材を配置する。ヘドロを貯留空間に供給しヘドロ中の水分を透水性シートを介して通水材に移動させ排出する。
ブロックは図７に例示したものが使用可能であるが、必ずしも図７ｃ、ｄ、ｅ、
ｆに示したブロックの凸状部に開口部である細孔を設ける必要はない。
本発明においては、第２、第３の発明で示したような、通水配列を設けてもよい。また、第２、第３の発明においても、そのヘドロ貯留空間の周囲に通水材を配置することができる。ヘドロの貯留空間を大きくする場合には、その間仕切りとして通水材をその内部に配置することができる。
【００１７】
本第１から第４の発明であるヘドロの脱水方法は、地下部に設け第４の発明と同様ヘドロの貯留空間を透水性のシートで覆い、その周囲に通水材を設けた構造とすることができる。  この場合、貯留空間の上部に、適宜土盛りし公園、駐車状として使用しながらヘドロが脱水されるのを待つことも可能である。ヘドロの供給口を別途設け、ヘドロの体積の減少具合を見ながらヘドロを供給していけばよい。
また地表面に外壁を設け、その内部にヘドロの貯留空間としてもよい。
【００１８】
図６は、本第５の発明であるヘドロの脱水方法の概念図である。
本発明は、架台を設けてその上に第１から第４までのヘドロの脱水手段を設けたものである。ヘドロから出た水は架台から下部に流出するものであり、ヘドロの発生地点である湖沼、河川敷に設けることができる。
【００１９】
ブロック相互の連接は、各ブロックに設けた継ぎ手あるいはブロックとは独立した継ぎ手でもって可能である。既存の方法の中からブロックの形状に合わせ選択することができる。
【００２０】
本第６の発明は、上記第１から第５の発明によってヘドロの脱水を行った後、
使用したブロックを芯とし、その周囲上部に土盛りする。土盛りした上部は前述したように公園あるいは駐車場などとして利用可能となる。
【００２１】
【発明の効果】
本発明は、上記説明の通り、ブロックの強度、ヘドロの貯留空間上に設ける土盛りの厚さを適宜選択することで、ブロックの強度に合わせヘドロの貯留空間上を公園、駐車場などに利用しながらヘドロの脱水を継続することができる。
即ち、使用するブロックが上部を公園あるいは駐車場などとして使用する場合の基礎となり、上部荷重を支えるために使用される。
【図面の簡単な説明】
【図１】は、本第１の発明であるヘドロの脱水方法を示す概念図である。
【図２】は、本第２の発明であるヘドロの脱水方法を示す概念図である。
【図３】は、本第３の発明であるヘドロの脱水方法を示す概念図である。
【図４】は、本第３の発明であるヘドロの脱水方法を示す他の概念図である。
【図５】は、本第４の発明であるヘドロの脱水方法を示す概念図である。
【図６】は、本第５の発明であるヘドロの脱水方法を示す概念図である。
【図７】は、本発明に使用するブロックの例を示す。
【符号の説明】
１  ブロック
２  ヘドロの貯留空間
３  通水配列
４  透水シート
５  通水部
６  架台
７  壁
【図１】
2004313861.tif 000003
【図２】
2004313861.tif 000004
【図３】
2004313861.tif 000005
【図４】
2004313861.tif 000006
【図５】
2004313861.tif 000007
【図６】
2004313861.tif 000008
【図７】
2004313861.tif 000009